(57)【要約】      （修正有）【課題】表面に様々な絵柄を選択的に配し、キーホルダーとしても使用することが可能な、音声再生機能付きバッジを提供する。【解決手段】バッジ本体部２と、バッジ本体部２の内部に配置され、音声再生機能を備えたＩＣ部と、バッジ本体部２の裏面に配置され、当該バッジ１以外の物品に当該バッジ１を留めるための留め針部と、バッジ本体部２の上部に配置されると共に、孔を備える物品の該孔に挿通させ、該孔を備える物品を束ねて取り付けるためのホルダー部８と、バッジ本体部２の表面に、バッジ本体部２との間に印刷物１２が挿入された状態で配置される透明な部材であるカバー部１０と、を有することを特徴とする。【選択図】図１
0003192520.tif 000002
【実用新案登録請求の範囲】
【請求項１】
音声再生機能付きバッジであって、
バッジ本体部と、
前記バッジ本体部の内部に配置され、音声再生機能を備えたＩＣ部と、
前記バッジ本体部の裏面に配置され、当該バッジ以外の物品に当該バッジを留めるための留め針部と、
前記バッジ本体部の上部に配置されると共に、孔を備える物品の該孔に挿通させ、該孔を備える物品を束ねて取り付けるためのホルダー部と、
前記バッジ本体部の表面に、該バッジ本体部との間に印刷物が挿入された状態で配置される透明な部材であるカバー部と、を有することを特徴とする音声再生機能付きバッジ。
【請求項２】
前記ＩＣ部が、音声録音機能を備えることを特徴とする請求項１に記載の音声再生機能付きバッジ。
【考案の詳細な説明】
【技術分野】
【０００１】
表面に様々な絵柄を選択的に配し、キーホルダーとしても使用することが可能な音声再生機能付きバッジの技術に関する。
【背景技術】
【０００２】
バッジとは、表面にキャラクターなどの絵図柄が施され、裏面には安全ピンなどが配されており、裏面の安全ピンを使用して被服などに取り付けて身飾品として使用するものである。
一方、キーホルダーとは、鍵など孔状機構を備えた物品の当該孔に器具を挿通させることによって、当該物品を束ねておくための道具である。
【考案の概要】
【考案が解決しようとする課題】
【０００３】
バッジは、キャラクターグッズやイベントの記念品としても用いられることも多いため、当該グッズや記念品の作製目的に応じ表面に配される絵図柄を選択することができれば、製作・販売者側としては商業的な利点が大きい。
【０００４】
また、上記グッズや記念品の作製目的に応じた音声をバッジから出力させ、当該作製目的を際立たせることができれば、製作・販売者側としては商業的な利点が大きい。
そこで本考案では、表面に様々な絵柄を選択的に配し、キーホルダーとしても使用することが可能な音声再生機能付きのバッジを提供することを目的とする。
【課題を解決するための手段】
【０００５】
開示する音声再生機能付きバッジの一形態は、音声再生機能付きバッジであって、バッジ本体部と、前記バッジ本体部の内部に配置され、音声再生機能を備えたＩＣ部と、前記バッジ本体部の裏面に配置され、当該バッジ以外の物品に当該バッジを留めるための留め針部と、前記バッジ本体部の上部に配置されると共に、孔を備える物品の該孔に挿通させ、該孔を備える物品を束ねて取り付けるためのホルダー部と、前記バッジ本体部の表面に、該バッジ本体部との間に印刷物が挿入された状態で配置される透明な部材であるカバー部と、を有することを特徴とする。
また、開示する音声再生機能付きバッジの一形態は、上記構成に加え、前記ＩＣ部が、音声録音機能を備えることを特徴とする。
【考案の効果】
【０００６】
開示するバッジは、表面に様々な絵柄を選択的に配し、キーホルダーとしても使用することが可能であり、音声再生機能も備えている。
【図面の簡単な説明】
【０００７】
【図１】本実施の形態に係る音声機能付きバッジの平面図である。
【図２】本実施の形態に係る音声機能付きバッジの底面図である。
【図３】本実施の形態に係る音声機能付きバッジの分解斜視図である。
【考案を実施するための形態】
【０００８】
図面を参照しながら、本考案を実施するための形態について説明する。
（本実施の形態に係る音声再生機能付きバッジの構造）
【０００９】
図１乃至３を用いて、本実施の形態に係る音声再生機能付きバッジ（以下、単に「バッジ」という。）１の構造について説明する。図１はバッジ１の平面図、図２はバッジ１の底面図、図３はバッジ１の分解斜視図である。
【００１０】
図１乃至３で示すように、バッジ１は、バッジ本体部（以下、単に「本体部」という。）２、ＩＣ部４、留め針部６、ホルダー部８、カバー部１０、印刷物１２を有する。
【００１１】
本体部２は、バッジ１の本体部分である。図２で示すように、本体部２は、音声機能スイッチ１４、スピーカー１６、電池カバー１８を有する。音声機能スイッチ１４は、ＩＣ部４に録音した音声の再生処理を開始させるためのスイッチである。また、音声機能スイッチ１４は、ＩＣ部４が音声録音機能を有する場合、ＩＣ部４に録音処理を開始させるためのスイッチであっても良い。
図３で示すように、本体部２は、表面において、印刷物１２及びカバー部１０を設置するために窪んだ形状を成している。
【００１２】
ＩＣ部４は、集積回路（Integrated Circuit）を含む部材であり、特定の複雑な機能を果たすための電子部品である。ＩＣ部４は、本体部２の内部に設置され、音声機能スイッチ１４等によって操作が可能である。ＩＣ部４は、少なくとも予め録音された情報を再生する音声再生機能を提供するものであり、新たに情報を記録する音声録音機能を提供するものであっても良い。ＩＣ部４に録音される内容は、バッジ１の製作目的に応じて自由に選択されればよく、特に限定されるものではない。
【００１３】
ＩＣ部４は、スピーカー１６を介して音声の再生・録音を行い、電池カバー１８内に収められた電池により駆動される。なお、ＩＣ部４は、本体部２表面に備えられる太陽電池から供給される電力に基づき駆動される形態であっても良い。
【００１４】
留め金部６は、本体部２の裏面に配置されるものであり、バッジ１以外の被服などの物品にバッジ１を留めるための部材である。図２で示すように、留め金部６は、安全ピンで構成されても良い。
【００１５】
ホルダー部８は、本体部２の上部に配置されるものであり、鍵など孔を備える物品の当該孔に挿通させ、当該孔を備える物品を束ねて整理し取り付けるための部材である。図１又は２で示すように、ホルダー部８は、本体部２の上部と連結される鎖状部材と、当該鎖状部材の先端に配され、対象物品の着脱が可能なように切れ込みの入ったリング状の所謂キーリング部材とで構成されても良い。
【００１６】
カバー部１０は、本体部２の表面に配置されるものであり、本体部２表面とカバー部１０との間には印刷物１２が挟み込まれる。図３で示すように、カバー部１０は、本体部２表面の窪んだ部位に嵌め込まれることにより設置される。
【００１７】
カバー部１０は、印刷物１２の印刷内容がバッジ１外部から視認できるように、透明な部材である。なお、印刷物１２は、表面に何らかの絵図柄が印刷されているが、印刷の内容についてはバッジ１の製作目的に応じて自由に選択されればよく、特に限定されるものではない。
【００１８】
バッジ１は、留め金部６を使用し所謂バッジとして使用することもでき、ホルダー部８を使用し所謂キーホルダーとして使用することもできる。また、バッジ１は、印刷物１２及びカバー部１０を使用しバッジ１表面に種々の絵図柄を配することができ、ＩＣ部４を使用し種々の音声を録音・再生させることができる。印刷物１２の絵図柄及びＩＣ部４に録音される音声をバッジ１の製作目的と整合させることによって、バッジ１は、購入者に対する訴求力を増し、製品（玩具）としての魅力も増す。
【００１９】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２０】
１    バッジ
２    バッジ本体部
４    ＩＣ部
６    留め針部
８    ホルダー部
１０  カバー部
１２  印刷物
１４  音声機能スイッチ
１６  スピーカー
１８  電池カバー
0003192520.tif 000003
【手続補正書】
【提出日】平成26年6月16日(2014.6.16)
【手続補正１】
【補正対象書類名】図面
【補正対象項目名】全図
【補正方法】変更
【補正の内容】
【図１】
0003192520.tif 000004
【図２】
0003192520.tif 000005
【図３】
0003192520.tif 000006